(57)【要約】      （修正有）【課題】表裏面の確認を省略することができる寝衣を提供する。【解決手段】寝衣１は、着用者の胴体を覆う胴体覆い部２１、着用者の各腕を覆う袖部４Ｌ、４Ｒ、及び着用者の各脚部を覆う脚覆い部を構成する衣本体を備え、胴体覆い部２１の首回りに設けられる襟部５と、袖部に設けられる袖口部６と、脚覆い部に設けられる裾部と、を有し、襟部、袖口部、及び裾部は、それぞれ、二つ折りされて形成された折り山ａを有するテープ部材１１と、テープ部材を挟んで対向して設けられる一対の帯部５１２Ｆ、５１２Ｂ、６１２Ｆと、を備え、折り山が一対の帯部から延出されるように、一対の帯部がテープ部材を挟んだ状態で縫着されている。【選択図】図１
0003235604.tif 000002
【実用新案登録請求の範囲】
【請求項１】
着用者の胴体を覆う胴体覆い部、着用者の各腕を覆う袖部、及び着用者の各脚部を覆う脚覆い部を構成する衣本体を備えた寝衣であって、
前記胴体覆い部の首回りに設けられる襟部と、前記袖部に設けられる袖口部と、前記脚覆い部に設けられる裾部と、を有し、
前記襟部、前記袖口部、及び前記裾部は、それぞれ、二つ折りされて形成された折り山を有するテープ部材と、前記テープ部材を挟んで対向して設けられる一対の帯部と、を備え、
前記折り山が前記一対の帯部から延出されるように、前記一対の帯部が前記テープ部材を挟んだ状態で縫着されていることを特徴とする寝衣。
【請求項２】
前記襟部は、前記折り山が、前記一対の帯部の幅方向の一端に設けられ、
前記一対の帯部の幅方向の他端には、前記衣本体の端縁が挟んで縫着されていることを特徴とする請求項１に記載の寝衣。
【請求項３】
前記袖口部及び前記裾部において、前記一対の帯部のうち一方は、前記衣本体に連続して設けられ、前記折り山が、前記一対の帯部の幅方向の一端に設けられ、前記一対の帯部の幅方向の他端同士が縫着されていることを特徴とする請求項１又は２に記載の寝衣。
【請求項４】
前記胴体覆い部には前立て部が設けられ、
前記前立て部において、前記一対の帯部のうち一方は、前記衣本体に連続して設けられ、前記折り山が、前記一対の帯部の幅方向の一端に設けられ、前記一対の帯部の幅方向の他端同士が縫着されていることを特徴とする請求項１〜３のうち何れか一項に記載の寝衣。
【請求項５】
前記胴体覆い部は、前身頃、及び後身頃が肩線に沿って縫着された第１縫着部と、前記前身頃、及び前記後身頃が脇線に沿って縫着された第２縫着部と、を有し、
前記袖部は、袖布が筒状となるように袖底で縫着された第３縫着部を有し、
前記胴体覆い部、及び前記袖部は、アームホールに沿って縫着された第４縫着部によって縫着され、
前記脚覆い部は、レッグ布が筒状となるように股下で縫着された第５縫着部と、左右の前記レッグ布が一体となるようにたて廻しに沿って縫着された第６縫着部と、を有し、
前記第１縫着部、前記第２縫着部、前記第３縫着部、前記第４縫着部、前記第５縫着部、前記第６縫着部は、巻き伏せ本縫いで縫着されていることを特徴とする請求項１〜４のうち何れか一項に記載の寝衣。
【考案の詳細な説明】
【技術分野】
【０００１】
本考案は、寝衣に関する。
【背景技術】
【０００２】
従来、病院やホテルでパジャマやガウン等の寝衣が貸し出されている。これらの寝衣は、洗濯業者等により回収され、洗濯、乾燥等を経て、表側を表面とし、裏側を裏面として折り畳まれて、再び病院やホテルに納品される（例えば、特許文献１参照）。
【先行技術文献】
【特許文献】
【０００３】
【特許文献１】特開２００２−３１７３１３号公報
【考案の概要】
【考案が解決しようとする課題】
【０００４】
しかしながら、洗濯業者等により回収された寝衣は、上着の袖やズボンの片側について、表側を表面とし裏側を裏面とするように人手により揃えられる。この際、寝衣の表裏面を人手により確認しなければならず、作業効率を低下させていた。
【０００５】
本考案の目的は、表裏面の確認を省略することができる寝衣を提供することにある。
【課題を解決するための手段】
【０００６】
上記目的は、以下の本考案によって解決される。
即ち、本考案は、着用者の胴体を覆う胴体覆い部、着用者の各腕を覆う袖部、及び着用者の各脚部を覆う脚覆い部を構成する衣本体を備えた寝衣であって、前記胴体覆い部の首回りに設けられる襟部と、前記袖部に設けられる袖口部と、前記脚覆い部に設けられる裾部と、を有し、前記襟部、前記袖口部、及び前記裾部は、それぞれ、二つ折りされて形成された折り山を有するテープ部材と、前記テープ部材を挟んで対向して設けられる一対の帯部と、を備え、前記折り山が前記一対の帯部から延出されるように、前記一対の帯部が前記テープ部材を挟んだ状態で縫着されていることを特徴とする。
【０００７】
即ち、寝衣に設けられた襟部、袖口部、及び裾部は、それぞれ、二つ折りされて形成された折り山を有するテープ部材と、テープ部材を挟んで対向して設けられる一対の帯部と、を備え、折り山が一対の帯部から延出されるように、一対の帯部がテープ部材を挟んだ状態で縫着されている。これによれば、襟部、袖口部、及び裾部は、表側から見た際にも、裏側から見た際にも、テープ部材、一対の帯部の順で設けられている。これによれば、襟部、袖口部、及び裾部は表裏の区別のない構成となり、表側と裏側との両方を表面として使用可能なリバーシブルとなる。これにより、例えばクリーニング後に折り畳んで使用可能状態とする際に、寝衣の表裏面を確認する必要がなくなり、作業効率の向上を図ることができる。
【０００８】
また、襟部は、折り山が、一対の帯部の幅方向の一端に設けられ、一対の帯部の幅方向の他端には、衣本体の端縁が挟んで縫着されていることが好ましい。これによれば、襟部は、表側及び裏側は表裏の区別のない同一構成となり、表側と裏側との両方を表面として使用可能なリバーシブルとすることができる。
【０００９】
また、前記袖口部及び前記裾部において、前記一対の帯部のうち一方は、前記衣本体に連続して設けられ、前記折り山が、前記一対の帯部の幅方向の一端に設けられ、前記一対の帯部の幅方向の他端同士が縫着されていることが好ましい。これによれば、袖口部及び裾部は、表側及び裏側は表裏の区別が困難な略同一構成となり、表側と裏側との両方を表面として使用可能なリバーシブルとすることができる。
【００１０】
また、前記胴体覆い部には前立て部が設けられ、前記前立て部において、前記一対の帯部のうち一方は、前記衣本体に連続して設けられ、前記折り山が、前記一対の帯部の幅方向の一端に設けられ、前記一対の帯部の幅方向の他端同士が縫着されていることが好ましい。これによれば、前立て部は、表側及び裏側は表裏の区別が困難な略同一構成となり、表側と裏側との両方を表面として使用可能なリバーシブルとすることができる。
【００１１】
また、胴体覆い部は、前身頃、及び後身頃が肩線に沿って縫着された第１縫着部と、前身頃、及び後身頃が脇線に沿って縫着された第２縫着部と、を有し、袖部は、袖布が筒状となるように袖底で縫着された第３縫着部を有し、胴体覆い部、及び袖部は、アームホールに沿って縫着された第４縫着部によって縫着され、脚覆い部は、レッグ布が筒状となるように股下で縫着された第５縫着部と、左右の前記レッグ布が一体となるようにたて廻しに沿って縫着された第６縫着部と、を有し、第２縫着部、第１縫着部、第３縫着部、第４縫着部、第５縫着部、第６縫着部は、巻き伏せ本縫いで縫着されていることが好ましい。これによれば、寝衣は、表側及び裏側は表裏の区別が困難な略同一構成となり、表側と裏側との両方を表面として使用可能なリバーシブルとすることができる。
【考案の効果】
【００１２】
本考案によれば、寝衣は、表側及び裏側は表裏の区別が困難な略同一構成となり、表側と裏側との両方を表面として使用可能なリバーシブルとすることができる。これにより、例えば寝衣を折り畳む際の作業効率の向上を図ることができる。
【図面の簡単な説明】
【００１３】
【図１】本考案の第１実施形態にかかる寝衣であり、（Ａ）は、上衣を示す正面図であり、（Ｂ）は、上衣を示す背面図である。
【図２】（Ａ）は、前記寝衣の要部拡大斜視図であり、（Ｂ）は(Ａ)の断面図である。
【図３】図１中のＩ−Ｉ線に沿う断面図である。
【図４】図１中のＩＩ−ＩＩ線に沿う断面図である。
【図５】前記寝衣における下衣を示す正面図である。
【図６】図５中のＩＩＩ−ＩＩＩ線に沿う断面図である。
【図７】前記下衣を折り畳んだ状態を示す平面図である。
【図８】本考案の第２実施形態にかかる寝衣であり、（Ａ）は、上衣を示す正面図であり、（Ｂ）は、上衣を示す背面図である。
【図９】図８中のＩＶ−ＩＶ線に沿う断面図である。
【考案を実施するための形態】
【００１４】
（第１実施形態）
以下、本考案の第１実施形態にかかる寝衣としての甚平１を図１〜７を参照して説明する。甚平１は、前中央開きで左前身頃２Ｌ及び右前身頃２Ｒを、紐１００を用いて閉じる上衣２０、及び下衣３０(脚覆い部、図５参照)から構成されている。図１は、本考案の第１実施形態にかかる寝衣であり、（Ａ）は、上衣を示す正面図であり、（Ｂ）は、上衣を示す背面図である。図２（Ａ）は、前記寝衣の要部拡大斜視図であり、（Ｂ）は(Ａ)の断面図である。図３は、図１中のＩ−Ｉ線に沿う断面図である。図４は、図１中のＩＩ−ＩＩ線に沿う断面図である。図５は、前記寝衣における下衣を示す正面図である。図６は、図５中のＩＩＩ−ＩＩＩ線に沿う断面図である。図７は、前記下衣を折り畳んだ状態を示す平面図である。本実施形態において甚平１は、例えば綿織物にあって表裏に模様がプリントされた生地が所定形状に裁断され、縫着されて構成されている。即ち、後述する左前身頃２Ｌ、右前身頃２Ｒ、後身頃３、及び左右の袖部４Ｌ、４Ｒは、一枚の生地が裁断されて構成されている。以下では、生地が所定形状に裁断されて甚平１を構成するパーツを総称して「生地材（衣本体）」と記す場合がある。
【００１５】
上衣２０は、図１（Ａ）（Ｂ）に示すように、左前身頃２Ｌ、右前身頃２Ｒ、後身頃３、左右の袖部４Ｌ、４Ｒ、襟部５、及び左右の袖口部６、６を備える。図１（Ａ）（Ｂ）に示すように、左前身頃２Ｌ、右前身頃２Ｒ、及び後身頃３は所定位置で縫着されて着用者の胴体を覆う胴体覆い部２１を構成する。襟部５は胴体覆い部２１の首回りに縫着されている。左右の袖部４Ｌ、４Ｒは、胴体覆い部２１に縫着されているとともに、各袖部４Ｌ（４Ｒ）には、袖口部６が縫着されている。
【００１６】
胴体覆い部２１は、図１（Ａ）（Ｂ）に示すように、左前身頃２Ｌ及び後身頃３が、左肩線ＬＡ及び左側の脇線ＬＢの位置でそれぞれ（後述の）巻き伏せ本縫いＢで縫着され、右前身頃２Ｒ及び後身頃３が、右肩線ＲＳ及び右側の脇線ＲＢの位置でそれぞれ巻き伏せ本縫いＢで縫着されて構成されている。また、左前身頃２Ｌ、右前身頃２Ｒ及び後身頃３は、裾Ｃの位置で三つ折り縫いＴで縫着されている。
【００１７】
ここで、巻き伏せ本縫いＢとは、図２（Ａ）（Ｂ）に示すように、互いに縫着される２枚の生地材Ｓ１、Ｓ２の各端縁ｅが折り返された折り返し部分Ｒ１、Ｒ２を形成し、一方の生地材Ｓ１（図２の例では後身頃３）と一方の折り返し部分Ｒ１との間に、他方の折り返し部分Ｒ２を挟み込む。また、他方の生地材Ｓ２（図２の例では左前身頃２Ｌ）と他方の折り返し部分Ｒ２との間に、一方の折り返し部分Ｒ１を挟み込む。この状態で、生地材Ｓ１、Ｓ２が４重に重なった部分を互いに平行な縫い目Ｌ、Ｌで縫着する縫い合わせ手法のことをいう。これによれば、巻き伏せ本縫いＢで縫着された部位は、表側及び裏側は表裏の区別が困難な略同一構成となる。
【００１８】
襟部５は、図３に示すように、二つ折りされて形成された折り山ａを有するテープ部材１１と、一対の襟用帯部５１２Ｆ、５１２Ｂ(一対の帯部)と、を備える。テープ部材１１は、生地を４５度の角度で裁断した帯板状のバイヤステープである。襟部５を形成する場合には、予め各襟用帯部５１２Ｆ、５１２Ｂの幅方向の両端縁ｅを内側に折り曲げておき、一対の襟用帯部５１２Ｆ、５１２Ｂにおける幅方向の一端部からテープ部材１１の折り山ａが延出するようにテープ部材１１を挟み、幅方向の他端部の間に左前身頃２Ｌ（または右前身頃２Ｒ、若しくは後身頃３）を挟み、この状態で各襟用帯部５１２Ｆ、５１２Ｂの幅方向の両端部を互いに平行な縫い目Ｌ１、Ｌ２で縫着することで襟部５が形成される。また、本実施形態では、テープ部材１１は、無地の生地から構成され、一対の襟用帯部５１２Ｆ、５１２Ｂは、生地材と共布で構成されている。これによれば、襟部５は表裏の区別のない構成となる。
【００１９】
袖部４Ｌ（４Ｒ）は、図１（Ａ）（Ｂ）に示すように、袖布が筒状となるように周方向の端縁同士が袖底ＲＩの位置（以下、第３縫着部と記し、符号ＲＩを付与する場合がある）で巻き伏せ本縫いＢで縫着されている。また、各袖部４Ｌ（４Ｒ）と胴体覆い部２１とは、アームホールＬＥ（ＲＥ）の位置（以下、第４縫着部と記し、符号ＬＥ、ＲＥを付与する場合がある）で巻き伏せ本縫いＢで縫着されることで接続されている。
【００２０】
袖口部６は、図４に示すように、二つ折りされて形成された折り山ａを有するテープ部材１１と、一対の袖口用帯部６１２Ｆ、６１２Ｂ(一対の帯部)と、を備える。一対の袖口用帯部６１２Ｆ、６１２Ｂのうち一方は袖布に連続して設けられている。袖口部６を形成する場合には、予め各袖口用帯部６１２Ｆ、６１２Ｂの幅方向の一端縁ｅを内側に折り曲げておき、一対の袖口用帯部６１２Ｆ、６１２Ｂにおける幅方向の一端部からテープ部材１１の折り山ａが延出するようにテープ部材１１を挟み、幅方向の他端部同士を重ねる。この状態で各袖口用帯部６１２Ｆ、６１２Ｂの幅方向の両端部を互いに平行な縫い目Ｌ１、Ｌ２で縫着することで袖口部６が形成される。また、本実施形態では、テープ部材１１は、無地の生地から構成され、一対の袖口用帯部６１２Ｆ、６１２Ｂは、生地材と共布で構成されている。これによれば、袖口部６は表側及び裏側は表裏の区別が困難な略同一構成となる。
【００２１】
下衣３０は、図５に示すように、着用者の左右の脚部を覆う脚覆い部３０Ｌ（３０Ｒ）を備える。各脚覆い部３０Ｌ（３０Ｒ）は、左右のレッグ布７Ｌ（７Ｒ）、及び裾部８を備え、これらが所定位置で縫着されて構成されている。
【００２２】
各レッグ布７Ｌ（７Ｒ）は、図５、７に示すように、レッグ前身頃７０Ｆ、及びレッグ後身頃７０Ｂを有して構成されている。各脚覆い部３０Ｌ（３０Ｒ）は、レッグ前身頃７０Ｆ及びレッグ後身頃７０Ｂが筒状となるように、下脇線ＬＦ（ＲＦ）及び股下ＬＧ（ＲＧ）の各位置で巻き伏せ本縫いＢで縫着され、下衣３０は、左右のレッグ布７Ｌ（７Ｒ）が一体となるようにたて廻しＨに沿って巻き伏せ本縫いＢで縫着されて構成されている。また、ウエスト部分には、不図示の平ゴムが設けられて、ウエスト部分の寸法が調整可能になっている。なお、本実施形態では、レッグ布７Ｌ（７Ｒ）は、レッグ前身頃７０Ｆ、及びレッグ後身頃７０Ｂの２部材から構成されて、筒状となるように下脇線ＬＦ（ＲＦ）及び股下ＬＧ（ＲＧ）で縫着されているがレッグ布７Ｌ（７Ｒ）は連続する１枚の生地から構成されて筒状となるように股下ＬＧ（ＲＧ）で縫着されていてもよい。
【００２３】
裾部８は、図５、６に示すように、二つ折りされて形成された折り山ａを有するテープ部材１１と、一対の裾用帯部８１２Ｆ、８１２Ｂ(一対の帯部)と、を備える。図６に示すように、一対の裾用帯部８１２Ｆ、８１２Ｂのうち一方はレッグ布７Ｌ（７Ｒ）に連続して設けられている。裾部８を形成する場合には、予め各裾用帯部８１２Ｆ、８１２Ｂの幅方向の一端縁ｅを内側に折り曲げておき、一対の裾用帯部８１２Ｆ、８１２Ｂにおける幅方向の一端部からテープ部材１１の折り山ａが延出するようにテープ部材１１を挟み、幅方向の他端部同士を重ねる。この状態で各裾用帯部８１２Ｆ、８１２Ｂの幅方向の両端部を互いに平行な縫い目Ｌ１、Ｌ２で縫着することで裾部８が形成される。また、本実施形態では、テープ部材１１は、無地の生地から構成され、一対の裾用帯部８１２Ｆ、８１２Ｂは、生地材と共布で構成されている。これによれば、裾部８は表側及び裏側は表裏の区別が困難な略同一構成となる。
【００２４】
上述した実施形態によれば、甚平１（寝衣）に設けられた襟部５、袖口部６、及び裾部８は、それぞれ、二つ折りされて形成された折り山ａを有するテープ部材１１と、テープ部材１１を挟んで対向して設けられる一対の襟用帯部５１２Ｆ、５１２Ｂ(一対の帯部)、一対の袖口用帯部６１２Ｆ、６１２Ｂ(一対の帯部)、一対の裾用帯部８１２Ｆ、８１２Ｂ(一対の帯部)を備え、折り山ａが一対の帯部から延出されるように、一対の帯部がテープ部材１１を挟んだ状態で縫着されている。これによれば、襟部５、袖口部６、及び裾部８は、表側から見た際にも、裏側から見た際にも、テープ部材１１、一対の帯部の順で設けられている。即ち、襟部５、袖口部６、及び裾部８は表裏の区別のない構成となり、表側と裏側との両方を表面として使用可能なリバーシブルとなる。これにより、例えばクリーニング後に折り畳んで使用可能状態とする際に、甚平１の表裏面を確認する必要がなくなり、作業効率の向上を図ることができる。
【００２５】
また、襟部５は、折り山ａが、一対の襟用帯部５１２Ｆ、５１２Ｂ(一対の帯部)の幅方向の一端に設けられ、一対の襟用帯部５１２Ｆ、５１２Ｂの幅方向の他端には、生地材（衣本体）としての前身頃２Ｌ（２Ｒ）、後身頃３の端縁ｅが挟んで縫着されている。これによれば、襟部５Ａは、表側及び裏側は表裏の区別のない同一構成となり、表側と裏側との両方を表面として使用可能なリバーシブルとすることができる。
【００２６】
また、袖口部６において、一対の袖口用帯部６１２Ｆ、６１２Ｂ(一対の帯部)のうち一方は、生地材に連続して設けられ、折り山ａが、一対の帯部の幅方向の一端に設けられ、一対の帯部の幅方向の他端同士が縫着されている。同様に、裾部８において、一対の裾用帯部８１２Ｆ、８１２Ｂ(一対の帯部)のうち一方は、生地材に連続して設けられ、折り山ａが、一対の帯部の幅方向の一端に設けられ、一対の帯部の幅方向の他端同士が縫着されている。これによれば、部品点数を低減しつつ、袖口部６及び裾部８は、表側及び裏側は表裏の区別が困難な略同一構成となる。なお、上述した実施形態では、一対の袖口用帯部６１２Ｆ、６１２Ｂ(一対の帯部)のうち一方は、生地材に連続して設けられているが、本考案はこれに限定されるものではない。前記一方は、生地材とは別部材であってもよい。また、一対の裾用帯部８１２Ｆ、８１２Ｂ(一対の帯部)のうち一方は、生地材に連続して設けられているが、本考案はこれに限定されるものではない。前記一方は、生地材とは別部材であってもよい。これによれば袖口部６及び裾部８は、表側及び裏側は表裏の区別のない同一構成となる。
【００２７】
また、胴体覆い部２１は、前身頃２Ｌ、２Ｒ、及び後身頃３が肩線ＬＡ、ＲＡに沿って縫着された第１縫着部ＬＡ、ＲＡと、前身頃２Ｌ、２Ｒ、及び後身頃３が上脇線ＬＢ、ＲＢ（脇線）に沿って縫着された第２縫着部ＬＢ、ＲＢと、を有し、袖部４Ｌ（４Ｒ）は、袖布が筒状となるように袖底ＲＩで縫着された第３縫着部ＲＩを有し、胴体覆い部２１、及び袖部４Ｌ（４Ｒ）は、アームホールＬＥ、ＲＥに沿って縫着された第４縫着部ＬＥ、ＲＥによって縫着され、下衣３０(脚覆い部）は、レッグ布７Ｌ（７Ｒ）が筒状となるように股下ＬＧ、ＲＧで縫着された第５縫着部ＬＧ、ＲＧと、左右のレッグ布７Ｌ（７Ｒ）が一体となるようにたて廻しＨに沿って縫着された第６縫着部Ｈと、を有し、第１縫着部ＬＡ、ＲＡ、第２縫着部ＬＢ、ＲＢ、第３縫着部ＲＩ、第４縫着部ＬＥ、ＲＥ、第５縫着部ＬＧ、ＲＧ、第６縫着部Ｈは、巻き伏せ本縫いで縫着されている。これによれば、甚平１は、表側及び裏側は表裏の区別が困難な略同一構成となり、表側と裏側との両方を表面として使用可能なリバーシブルとすることができる。
【００２８】
（第２実施形態）
続いて、本考案の第２実施形態にかかる寝衣としてのパジャマ１Ａを、図８、９を参照して説明する。パジャマ１Ａは、図８に示すように、開襟かつ前中央開きで左前身頃２Ｌ及び右前身頃２Ｒを、留め部材１０１Ａを用いて閉じる上衣２０Ａ、及び下衣３０(脚覆い部、図５参照)から構成されている。上衣２０Ａは、図８（Ａ）（Ｂ）に示すように、左前身頃２Ｌ、右前身頃２Ｒ、後身頃３、左右の袖部４Ｌ、４Ｒ、襟部５Ａ、前立て部９、及び左右の袖口部６、６を備え、これらが所定位置で縫着されて構成されている。第２実施形態と第１実施形態は、襟部５Ａ及び前立て部９の構成が異なる。図８は、本考案の第２実施形態にかかる寝衣であり、（Ａ）は、上衣を示す正面図であり、（Ｂ）は、上衣を示す背面図である。図９は、図８中のＩＶ−ＩＶ線に沿う断面図である。
【００２９】
襟部５Ａは、図８（Ａ）（Ｂ）に示すように、二つ折りされて形成された折り山ａを有するテープ部材１１と、一対の襟用帯部５１２Ｆ、５１２Ｂ(一対の帯部)と、を備える。襟部５Ａを形成する場合には、予め各襟用帯部５１２Ｆ、５１２Ｂの幅方向の両端縁ｅを内側に折り曲げておき、一対の襟用帯部５１２Ｆ、５１２Ｂにおける幅方向の一端部からテープ部材１１の折り山ａが延出するようにテープ部材１１を挟み、幅方向の他端部の間に左前身頃２Ｌ（または右前身頃２Ｒ、若しくは後身頃３）を挟み、この状態で各襟用帯部５１２Ｆ、５１２Ｂの幅方向の両端部を互いに平行な縫い目Ｌ１、Ｌ２で縫着することで襟部５Ａが形成される。この襟部５Ａは、着用者から見て外側に折り曲げられて開襟される。即ち、第１実施形態の襟部５と第２実施形態の襟部５Ａは、使用状態において襟部が折れ曲がっているか否かが異なる。これによれば、襟部５Ａは表裏の区別のない構成となる。
【００３０】
前立て部９は、図８（Ａ）、９に示すように、二つ折りされて形成された折り山ａを有するテープ部材１１と、一対の前立て帯部９１２Ｆ、９１２Ｂ(一対の帯部)と、を備える。図９に示すように、一対の前立て帯部９１２Ｆ、９１２Ｂのうち一方は前身頃２Ｌ（２Ｒ）に連続して設けられている。前立て部９を形成する場合には、予め各前立て帯部９１２Ｆ、９１２Ｂの幅方向の一端縁ｅを内側に折り曲げておき、一対の前立て帯部９１２Ｆ、９１２Ｂにおける幅方向の一端部からテープ部材１１の折り山ａが延出するようにテープ部材１１を挟み、幅方向の他端部同士を重ねる。この状態で各前立て帯部９１２Ｆ、９１２Ｂの幅方向の両端部を互いに平行な縫い目Ｌ１、Ｌ２で縫着することで前立て部９が形成される。また、本実施形態では、テープ部材１１は、無地の生地から構成され、一対の前立て帯部９１２Ｆ、９１２Ｂは、生地材と共布で構成されている。これによれば、前立て部９は表側及び裏側は表裏の区別が困難な略同一構成となる。
【００３１】
また、前立て部９には、図８（Ａ）に示すように、留め部材１０１Ａを構成するテーピースナッパー（登録商標）（以下では、テーピースナッパー（登録商標）に符号１０１Ａを付与する）が所定の間隔をあけて設けられている。テーピースナッパー（登録商標）１０１Ａは、不図示のナイロンテープに不図示の雄スナップボタンが取り付けられた雄部材１０１と、ナイロンテープに不図示の雌スナップボタンが取り付けられた雌部材と、を備える。雄部材１０１は、例えば左前身頃２Ｌに縫着された前立て部９に縫着され、雌部材は、右前身頃２Ｒに縫着された前立て部９において、雄部材１０１に対向する位置に縫着されている。
【００３２】
上述した実施形態によれば、パジャマ１Ａ（寝衣）に設けられた襟部５Ａ、袖口部６、及び裾部８は、それぞれ、二つ折りされて形成された折り山ａを有するテープ部材１１と、テープ部材１１を挟んで対向して設けられる一対の襟用帯部５１２Ｆ、５１２Ｂ(一対の帯部)、一対の袖口用帯部６１２Ｆ、６１２Ｂ(一対の帯部)、一対の裾用帯部８１２Ｆ、８１２Ｂ(一対の帯部)を備え、折り山ａが一対の帯部から延出されるように、一対の帯部がテープ部材１１を挟んだ状態で縫着されている。これによれば、襟部５Ａ、袖口部６、及び裾部８は、表側から見た際にも、裏側から見た際にも、テープ部材１１、一対の帯部の順で設けられている。即ち、襟部５Ａ、袖口部６、及び裾部８は表裏の区別のない構成となり、表側と裏側との両方を表面として使用可能なリバーシブルとなる。これにより、例えばクリーニング後に折り畳んで使用可能状態とする際に、寝衣の表裏面を確認する必要がなくなり、作業効率の向上を図ることができる。
【００３３】
また、襟部５Ａは、折り山ａが、一対の襟用帯部５１２Ｆ、５１２Ｂ(一対の帯部)の幅方向の一端に設けられ、一対の襟用帯部５１２Ｆ、５１２Ｂの幅方向の他端には、生地材としての前身頃２Ｌ（２Ｒ）、後身頃３の端縁ｅが挟んで縫着されている。これによれば、襟部５Ａは、表側及び裏側は表裏の区別のない同一構成となり、表側と裏側との両方を表面として使用可能なリバーシブルとすることができる。
【００３４】
また、前立て部９において、一対の前立て帯部９１２Ｆ、９１２Ｂ(一対の帯部)のうち一方は、前身頃２Ｌ（２Ｒ）（生地材）に連続して設けられ、折り山ａが、一対の前立て帯部９１２Ｆ、９１２Ｂの幅方向の一端に設けられ、一対の前立て帯部９１２Ｆ、９１２Ｂの幅方向の他端同士が縫着されている。これによれば、前立て部９は、表側及び裏側は表裏の区別が困難な略同一構成となる。
【００３５】
また、一対の襟用帯部５１２Ｆ、５１２Ｂ(一対の帯部)、一対の袖口用帯部６１２Ｆ、６１２Ｂ(一対の帯部)、一対の裾用帯部８１２Ｆ、８１２Ｂ(一対の帯部)、一対の前立て帯部９１２Ｆ、９１２Ｂ(一対の帯部)は、生地材（衣本体）と共布で構成されている。なお、本実施形態において甚平１は、例えば綿織物にあって表裏に模様がプリントされた生地が所定形状に裁断され、縫着されて構成されている。これによれば、一対の帯部は、衣本体と共布で構成されていることにより、襟部５、袖口部６、裾部８、及び前立て部９は、表側及び裏側は表裏の区別が困難な略同一構成となり、表側と裏側との両方を表面として使用可能なリバーシブルとすることができる。
【００３６】
なお、上述した実施形態では、寝衣は、綿織物に所定の模様が表裏にプリントされた生地が所定形状に裁断され、縫着されて構成されているが、本考案はこれに限定されるものではない。寝衣は、模様の有無を問わず、表裏の区別がつき難い生地や織物を用いて構成されていればよい。また、上述した実施形態では、一対の襟用帯部５１２Ｆ、５１２Ｂ(一対の帯部)、一対の袖口用帯部６１２Ｆ、６１２Ｂ(一対の帯部)、一対の裾用帯部８１２Ｆ、８１２Ｂ(一対の帯部)、一対の前立て帯部９１２Ｆ、９１２Ｂ(一対の帯部)は、生地材（衣本体）と共布で構成されているが、本考案はこれに限定されるものではない。一対の帯部は、生地材（衣本体）と別布で構成されていてもよい。これによれば、上述した実施形態と略同様の効果が奏される。
【００３７】
また、上述した実施形態では、寝衣は、上衣２０（２０Ａ）、及び下衣３０から構成されているが、本考案はこれに限定されるものではない。例えば、寝衣は、上衣の裾が足まで延びて着用者の各脚部を覆うガウンであってもよい。
【００３８】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００３９】
１                  甚平（寝衣）
１Ａ                パジャマ（寝衣）
２                  前身頃
３                  後身頃
２１                胴体覆い部
３０Ｌ、３０Ｒ      左右の脚覆い部
４Ｌ、４Ｒ          左右の袖部
５、５Ａ            襟部
６                  袖口部
７Ｌ、７Ｒ          左右のレッグ布
８                  裾部
９                  前立て部
１１                テープ部材
ａ                  折り山
５１２Ｆ、５１２Ｂ  一対の襟用帯部(一対の帯部)
６１２Ｆ、６１２Ｂ  一対の袖口用帯部 (一対の帯部)
８１２Ｆ、８１２Ｂ  一対の裾用帯部 (一対の帯部)
９１２Ｆ、９１２Ｂ  一対の前立て部帯部 (一対の帯部)
ＬＡ、ＲＡ          肩線（第１縫着部）
ＬＢ、ＲＢ          上脇線（第２縫着部）
ＲＩ                袖底（第３縫着部）
ＬＥ、ＲＥ          アームホール（第４縫着部）
ＬＧ、ＲＧ          股下（第５縫着部）
Ｈ                  たて廻し（第６縫着部）
【図１】
0003235604.tif 000003
【図２】
0003235604.tif 000004
【図３】
0003235604.tif 000005
【図４】
0003235604.tif 000006
【図５】
0003235604.tif 000007
【図６】
0003235604.tif 000008
【図７】
0003235604.tif 000009
【図８】
0003235604.tif 000010
【図９】
0003235604.tif 000011